(57)【要約】【課題】電極の構造を改善して、低電圧での駆動を可能にし、高い光効率を与えるディスプレイ装置のバックライト用面発光型蛍光ランプを提供する。【解決手段】この面発光型蛍光ランプは、ランプボディの両端部に配置される主電極に連結され、前記主電極から、対向するほかの主電極側に向けて、前記放電チャンネルと平行に延びる複数のブランチ電極とを含む。また、面発光型ランプは、前記ブランチ電極を互いに連結する複数のジョイント電極をさらに含むことができ、そのほかにステップ電極又は誘導電極をさらに含むことができる。【選択図】図１０
2006073499.tif 000002
【特許請求の範囲】
【請求項１】
上板と下板が互いに接合されてなるランプボディと、前記ランプボディの内部に区画された放電空間を形成する複数の放電チャンネルと、前記放電チャンネルの両端部に配置される主電極とを含む面発光型蛍光ランプにおいて、
前記主電極に連結され、前記主電極から、対向するほかの主電極側に、前記放電チャンネルと平行に延びる複数のブランチ電極を含むことを特徴とするディスプレイ装置用面発光型蛍光ランプ。
【請求項２】
前記ブランチ電極は、前記放電チャンネルの幅方向中央部に配置されることを特徴とする請求項１に記載のディスプレイ装置用面発光型蛍光ランプ。
【請求項３】
前記ブランチ電極は、前記放電チャンネルを区画する境界部に配置されることを特徴とする請求項１に記載のディスプレイ装置用面発光型蛍光ランプ。
【請求項４】
前記複数のブランチ電極のうち、外郭側に配置されたブランチ電極が、中央側に配置されたブランチ電極より長く形成されることを特徴とする請求項１に記載のディスプレイ装置用面発光型蛍光ランプ。
【請求項５】
前記ブランチ電極を互いに連結する複数のジョイント電極をさらに含むことを特徴とする請求項３に記載のディスプレイ装置用面発光型蛍光ランプ。
【請求項６】
前記ブランチ電極の先端部を連結するフロントジョイント電極に形成され、対向するほかのフロントジョイント電極側に突出した複数のステップ電極をさらに含むことを特徴とする請求項５に記載のディスプレイ装置用面発光型蛍光ランプ。
【請求項７】
上板と下板が互いに接合されてなるランプボディと、前記ランプボディの内部に区画された放電空間を形成する複数の放電チャンネルと、前記放電チャンネルの両端部に配置される主電極とを含む面発光型蛍光ランプにおいて、
前記放電チャンネルの少なくとも一つ以上の放電チャンネルに一対ずつ配置され、放電チャンネルの両端に配置された主電極から、対向するほかの主電極側に短く突出し、その先端部が尖っている複数のブランチ電極を含むことを特徴とするディスプレイ装置用面発光型蛍光ランプ。
【請求項８】
上板と下板の縁部が互いに接合されてなるランプボディと、前記ランプボディの内部に区画された放電空間を形成する複数の放電チャンネルと、前記放電チャンネルの両端部に配置されるように前記ランプボディの両端部に設けられる主電極とを含む面発光型蛍光ランプにおいて、
前記放電チャンネルの少なくとも一つ以上の放電チャンネルに一対ずつ配置され、放電チャンネルの幅方向に対向して配置されるように、放電チャンネルの両端に配置された主電極から、対向するほかの主電極付近まで延びる複数のブランチ電極を含むことを特徴とするディスプレイ装置用面発光型蛍光ランプ。
【請求項９】
上板と下板の縁部が互いに接合されてなるランプボディと、前記ランプボディの内部に区画された放電空間を形成する複数の放電チャンネルと、前記放電チャンネルの両端部に配置されるように前記ランプボディの両端部に設けられる主電極とを含む面発光型蛍光ランプにおいて、
前記放電チャンネルに沿って配置され、外部からの電源が供給されない複数の誘導電極を含むことを特徴とするディスプレイ装置用面発光型蛍光ランプ。
【請求項１０】
前記誘導電極は、前記放電チャンネルに沿って一定の間隔で配列され、前記放電チャンネルの長手方向両端が尖っている複数のサブ誘導電極からなることを特徴とする請求項９に記載のディスプレイ装置用面発光型蛍光ランプ。
【発明の詳細な説明】
【技術分野】
【０００１】
本発明は、ディスプレイ装置のバックライト用として使用される面発光型蛍光ランプに係り、より詳しくはプラズマ放電を起こすための電極の構造を改善して、低電圧での駆動を可能にし、高い光効率を有するようにした面発光型蛍光ランプに関するものである。
【背景技術】
【０００２】
一般に、ディスプレイ装置は発光型（Emissive Display Device）と非発光型（Non-emissive Display Device）に分類可能である。平板ディスプレイ（Flat Panel Display）分野で広く使用されているＬＣＤはそれ自体発光が不可能な非発光型であるため、その後面に別途のバックライトが必要である。
かかるバックライトとして、近来注目を浴びているものが面発光型蛍光ランプである。図１８は内部電極を有する面発光蛍光ランプを示し、図１９は外部電極を有する面発光型蛍光ランプを示す。
【０００３】
図１８及び図１９に示すように、面発光型蛍光ランプは、周縁部が相互接着された上板１０１ａ、１０１ｂと下板１０２ａ、１０２ｂからなるランプボディ１００ａ、１００ｂと、蛇行状に長く延びてランプ内部の放電空間をなす蛇行状チャンネル１０３ａ、１０３ｂと、前記蛇行状チャンネルの両端部に設けられる電極１０４ａ、１０４ｂとからなる。蛇行状チャンネル１０３ａ、１０３ｂの内部には、プラズマ放電のため、水銀を含むガスが注入され、蛇行状チャンネル１０３ａ、１０３ｂの内側面には、励起されたガスのエネルギーにより発光する蛍光層が塗布される。
【０００４】
このような面発光型蛍光ランプの電極は、図１８に示すように、蛇行状チャンネル１０３ａの内側に挿設されるか、あるいは、図１９に示すように、蛇行状チャンネル１０３ｂの両端部に対応する下板１０２ｂの外面に塗布される。ところで、最近では、面発光型蛍光ランプの蛇行状チャンネル１０３ａの内部に内部電極１０４ａを挿入しこれらを固定することに伴う製造工程上の不便さ及び電極とプラズマの直接的な相互作用を避けるため、かつ多数の面発光型蛍光ランプをタイル形態に連結して一つの大型ランプに容易に構成するため、図１９に示すような外部電極型面発光型蛍光ランプ（External Electrode Fluorescent Lamp）が開発されている。
【０００５】
しかし、このように、面発光型蛍光ランプの放電空間を蛇行状に長く延長して蛇行状チャンネルを形成し、その蛇行状チャンネルの両端に電極を取り付けるようにした場合、高い光出力及び光効率を得ることはできるが、放電空間が長くなるにしたがい、ランプの（放電）開始電圧及び（放電）駆動電圧が増加するという問題点がある。その結果、電極に加わる高い交流電圧に対して相対的に低い光効率を有する蛍光ランプの特性上、ランプの消費電力を増加させるのみならず、ランプの寿命及び安定性を低下させ、ランプのスターティングを遅延させるなどの問題点が生じる。
【０００６】
一般に、プラズマ放電が起こる電極間距離に対する放電効率と駆動電圧の関係は相反関係にある。したがって、ランプの駆動電圧を低くするためには対向電極間の距離を近接させることが必要であるが、その場合に、ランプの放電効率及び輝度が低下し、ランプの大きさが小さくなってしまうという問題点がある。
【発明の開示】
【発明が解決しようとする課題】
【０００７】
本発明は、低電圧によっても駆動可能にするとともに一定水準以上の光効率ないし放電効率を保証するため、放電チャンネルの両端に配置される電極を直接的に近接させなくとも、電極間が近接した効果を奏し得る電極構造を有する面発光型蛍光ランプを提供することにその目的がある。
また、本発明のほかの目的は、一対の電極間でプラズマ放電を円滑に引き起こし、放電効率を向上させるための多様な構造の電極構造を有する面発光型蛍光ランプを提供することにある。
【課題を解決するための手段】
【０００８】
前記のような目的を達成するため、本発明によるディスプレイ用面発光型蛍光ランプは、ランプボディの両端部に配置された主電極の各々から、対向する他方の主電極側に、前記放電チャンネルと平行に延びる複数のブランチ電極を含む。
【０００９】
前記ブランチ電極は、前記放電チャンネルを区画する境界部に沿って配置される。この場合、多数の電極が主電極の前方に配置されることにより、非発光領域の拡大、及びこれによる光効率の減少を防止することができる。
【００１０】
また、ブランチ電極は主電極から放電チャンネルの幅方向中央部に沿って配置することもできる。この場合、ブランチ電極の幅は境界部に配置されるブランチ電極に比べて薄い幅に形成されるようにする。これは、ブランチ電極の周囲での暗部の発生を最小化するためである。
【００１１】
また、前記ブランチ電極は、電荷の容易な放出のため、その先端部が尖るように（先細りするように）形成でき、ランプの外郭側での輝度増加のため、複数のブランチ電極のうち、外郭側に配置されたブランチ電極は中央側に配置されたブランチ電極より長く形成できる。
【００１２】
さらに、本発明によるランプは、主電極の長手方向にブランチ電極（特に、境界部に配置されたブランチ電極）を互いに連結する複数のジョイント電極を含むことができ、前記複数のジョイント電極のうち、ブランチ電極の先端部を連結するフロントジョイント電極に、前方側に突出する複数のステップ電極を含むことができる。
【００１３】
ジョイント電極は外部から印加される電圧を放電チャンネル内に効率よく伝達するためのもので、各放電チャンネルにわたって（放電チャンネルの長手方向に対して垂直な方向に）設けられるので、境界部に配置されたブランチ電極より薄い幅に形成されるようにする。ステップ電極は、電荷の放出を容易にして、光効率を向上させる。
【００１４】
このように、主電極、前記主電極に電気的に連結されたブランチ電極、ジョイント電極及びステップ電極により、プラズマ放電のための電極間の距離を短縮してランプの始動及び駆動電圧を低下させるとともにプラズマ放電が円滑に起こるようにする。特に、放電チャンバーの境界部に沿って配置されたブランチ電極とこのブランチ電極に垂直な方向に配置されるジョイント電極の組合せは、主電極の前方に格子形の電極構造を形成することにより、電極間の距離を短縮させることによる光効率及び放電効率の低下の問題を最小化させる。
【００１５】
一方、ブランチ電極及びステップ電極を、放電チャンネルを区画する境界部に配置する場合、電極配置における高い自由度が得られる。すなわち、電極の付着位置を上板の上面又は下板の下面又は上板と下板の接合領域など、自由に選択することができる。
【００１６】
また、本発明によるブランチ電極は、各放電チャンネルの幅方向に対向して配置されるように、前記主電極から、対向する主電極付近まで延びている複数のブランチ電極を含み得る。このようなブランチ電極により放電チャンネルの幅方向に電場が発生して、ランプの輝度及び輝度均一度を向上させることができる。
【００１７】
また、本発明によるランプは、前記放電チャンネルの幅方向中央部に対応する位置の前記ランプボディに前記放電チャンネルの長手方向に沿って配列され、外部からの電源が供給されない複数の誘導電極（主電極に接続されていない電極）をさらに含むことができる。このような誘導電極により、放電チャンネル内の円滑な電荷の流れが誘導され、放電効率が向上される。
【発明の効果】
【００１８】
以上のように、主電極に電気的に連結されたブランチ電極、ジョイント電極及びステップ電極を備える電極構造を有する蛍光ランプによれば、主電極を互いに直接近接させなくとも、電極間が近接した効果が得られることから、ランプの始動及び駆動電圧を低下させ、プラズマ放電を円滑に発生させて光効率を向上させ、プラズマ放電を均一に発生させることができる。また、主電極間に誘導電極が設けられるので、円滑な電荷の流れが誘導され、光効率が向上される。
【発明を実施するための最良の形態】
【００１９】
以下、添付図面に基づき本発明の好適な実施形態によるディスプレイ装置用面発光型蛍光ランプを説明する。本発明の簡明な説明のため、同一部材についての重複説明は省略し、同一部材に対しては同一参照符号を使用する。
【００２０】
本発明による面発光型蛍光ランプは、基本的には、通常の面発光型蛍光ランプと同様に、上板と下板を有するランプボディと、このランプボディの内部に区画された放電空間を形成する放電チャンネルと、プラズマ放電を起こすための電極とを含む。電極は、ランプボディの外面（上板の上面又は下板の下面）に塗布又は付着されることもでき、ランプボディの内面（上板の下面又は下板の上面、又は上面と下面の接合面）に塗布又は付着されることもできる。また、本発明の説明において、電極が上板に塗布される場合には、電極が透明電極である必要がある。もちろん、このような電極の外面には、誘電体層、絶縁層などの多様な層が形成できる。ただし、これらの構成と、そのほかの放電チャンネル内に注入されるガス、蛍光層、反射層などのような通常の構成については説明を省略する。
【００２１】
放電チャンネルの形態は、図１に示すように、複数の放電チャンネル１１３ａが互いに連結されて単一放電路を形成する蛇行状チャンネルであり得るが、図２に示すように、複数の放電チャンネル１１３ｂが互いに隔離された密閉空間をなす一字形チャンネルでもあり得る。また、このような放電チャンネル１１３ａ、１１３ｂは、図１及び図２に示すように、屈曲部が形成された上板１１１ａ、１１１ｂに平板型の下板１１２ａ、１１２ｂの縁部を相互接合させて構成するか、あるいは、図１５に示すように、縁部が密封部材（ランプボディ１０の側部又は側壁をなす）により互いに接合された上板３１と下板３２間に設けられた隔壁３７によってもなされる。このような隔壁は上板と一体的に形成されるか、又は下板と一体的に形成される。
【００２２】
図１及び図２に示すように、本発明による面発光型蛍光ランプは、放電チャンネル１１３ａ、１１３ｂの長手方向の両端部に対応する位置の下板１１２ａ、１１２ｂの下面に、放電チャンネルの長手方向に垂直な方向に付着される主電極１１４ａ、１１４ｂを備える。
このような主電極１１４ａ、１１４ｂは、図１に示すように、それぞれの長手方向に互いに連結されて連続的に配置されることもでき、図２に示すように、それぞれの放電チャンネルに対応する部位にだけ付着されてその長手方向に不連続的に（互いに離間した状態で）配置されることもできる。主電極１１４ａ、１１４ｂに交流電圧が印加されると、各放電チャンネル１１３ａ、１１３ｂに沿ってプラズマ放電が起こる。
【００２３】
図３ないし図５を参照して、ランプボディ１０の両端部に設けられた主電極１４、１５のそれぞれから、対向する主電極側に所定の長さだけ延び、放電チャンネル１３の長手方向にほぼ平行に配置される複数のブランチ電極について説明する。
【００２４】
ブランチ電極の第１実施形態として、図３ないし図５に示すように、ブランチ電極１、２は、放電チャンネル１３の長さの１／３程度の長さに延長され、各放電チャンネル１３を互いに区画する境界部に対応する位置の下板１２の外面に付着できる。この境界部は、隣接した放電チャンネル間の境界部と最外郭放電チャンネルの外側縁部（すなわち、ランプボディ１０の縁部）を含み、プラズマ放電が発生しない非放電領域に相当する部分である。もちろん、このような境界部の外面には蛍光物質を塗布することもある。
【００２５】
このように、主電極１４、１５に連結されたブランチ電極１、２により、主電極１４、１５間の距離が相対的に短くなる効果が生じ、同一の輝度を基準に比較すると、主電極のみによってプラズマ放電を起こす場合に比べ、低電圧でランプを駆動させることができる。また、ブランチ電極１、２は非放電領域に配置されるので、放電の際、電荷がランプ電極付近に蓄積して電極付近の輝度が低下することを防止することができる。また、このようなブランチ電極１、２が上板１１に付着される場合、ブランチ電極１、２により放電チャンネル１３から放出される光の遮断現象を最小化できる。
【００２６】
図６ないし図９に基づき、本発明によるブランチ電極のほかの実施形態を説明する。
ブランチ電極の第２実施形態においては、図６に示すように、複数のブランチ電極のうち、外郭側に配置されたブランチ電極１ａ、２ａの長さが中央側に配置されたブランチ電極１ｂ、２ｂの長さより長く形成される。そのほかの構造は、第１実施形態によるブランチ電極と同様である。したがって、複数の放電チャンネル１３のうち、外郭側の放電チャンネル、つまりバックライトの外郭側での輝度を増加させることができ、多数の面発光型蛍光ランプをタイル形態に連結した際に、当該連結部での輝度低下現象を防止することができる。
【００２７】
ブランチ電極の第３実施形態は、図７に示すように、ブランチ電極３ａ、３ｂが各放電チャンネル１３の幅方向中央部に対応する位置の下板１２の下面に付着される。この際、本実施形態によるブランチ電極３ａ、３ｂは前述した実施形態によるブランチ電極の幅よりも小さく形成される。本実施形態によるブランチ電極３ａ、３ｂがランプボディ１０の上板１１に付着される場合、ブランチ電極３ａ、３ｂにより放電チャンネル１３から放出される光の遮断現象を最小化し、ブランチ電極３ａ、３ｂの周囲での暗部の発生を防止することができる。
【００２８】
ブランチ電極の第４実施形態として、図８に示すように、ブランチ電極４は各放電チャンネル１３に対応する下板１２の下面に一対ずつ配置され、一対の主電極１４、１５から対向の主電極１５、１４付近まで長く延び、放電チャンネル１３の幅方向に所定間隔で離隔して配置される。すなわち、各放電チャンネル１３に対応する位置には、一方の主電極１４から他方の主電極１５近傍にまで延びるブランチ電極４ａと、他方の主電極１５から一方の主電極１４近傍にまで延びるブランチ電極４ｂとが、互いに接触しないように放電チャンネル１３の幅方向に対向する状態で配置されている。このようなブランチ電極４（４ａ、４ｂ）により、主電極１４、１５への電源印加の際、各放電チャンネル１３内には、放電チャンネル１３の長手方向に対して垂直な方向への電場が発生する。その結果、駆動電圧を低めることができ、光効率及び輝度均一度を向上させることができる。
【００２９】
ブランチ電極の第５実施形態として、図９に示すように、ブランチ電極５ａ、５ｂは、各放電チャンネル１３の幅方向中央部に対応する位置の下板１２の上面（これに対応して、主電極１４、１５も下板１２の上面に付着可能である）に付着され、主電極１４、１５から前方に短く突出し、その先端部が尖るように形成される。このようなブランチ電極５ａ、５ｂにより電荷の放出が容易になる。
【００３０】
つぎに、図１０ないし図１３に基づき、ブランチ電極に電気的に連結されるジョイント電極とステップ電極を説明する。
図１０及び図１１に示すように、ジョイント電極６ａ、６ｂは、主電極１４、１５の長手方向にブランチ電極１、２を互いに連結する複数の電極から構成される。このようなブランチ電極１、２とジョイント電極６ａ、６ｂにより主電極１４、１５の前方の電極構造が格子形となり、このような格子形の電極構造に対応する下板１２の上部に放電電圧が印加されるので、より効率よくプラズマ放電を引き起こすことができる。
【００３１】
ステップ電極は、複数のジョイント電極６ａ、６ｂのうち、ブランチ電極１、２の先端部を連結するフロントジョイント電極に形成されるもので、放電チャンネル１３の長手方向に突出した複数の電極からなる。
ステップ電極の第１実施形態として、図１０及び図１１に示すように、ステップ電極７ａ、７ｂは各放電チャンネル１３を区画する境界部に対応する位置に配置される。
ステップ電極の第２実施形態として、図１２に示すように、ステップ電極８ａ、８ｂは放電チャンネル１３の幅方向中央部に対応する位置に配置される。
ステップ電極の第３実施形態として、図１３に示すように、ステップ電極９ａ、９ｂは先端部が尖るように形成される。
このようなステップ電極により、電荷の放出が容易になるので、ランプの放電電圧及び駆動電圧が低下し、光効率が向上する。
【００３２】
前述したような電極構造、すなわち主電極、ブランチ電極、ジョイント電極及びステップ電極からなる電極構造は、図１４に示すように、蛇行状チャンネル２３を有する面発光形蛍光ランプに適用することができ、図１５に示すように、隔壁３９を用いる一字形放電チャンネル３３を有する面発光形蛍光ランプにも適用することができる。図１４及び図１５において、未説明符号２０、３０は平板ディスプレイのランプボディを示し、２１、３１は平板ディスプレイの上板を示し、２２、３２は下板を示し、２４、２５、３４、３５は主電極を示し、２６、３６はブランチ電極を示し、２７、３７はジョイント電極を示し、２８、３８はステップ電極を示す。
【００３３】
図１６及び図１７に基づき、放電チャンネル４３の幅方向中央部に対応する位置の下板の上面に、放電チャンネル４３の長手方向に配置され、外部からの電源が供給されない複数の誘導電極４６、４７について説明する。このような誘導電極４６、４７は、前述したブランチ電極又はステップ電極とは異なり、主電極４４、４５に電気的に連結されない。
【００３４】
誘導電極の第１実施形態として、図１６に示すように、誘導電極４６は放電チャンネル４３の長手方向中央部に配列される連続した帯状の電極である。このような誘導電極４６は、主電極４４、４５間で放電チャンネル４３に沿って移動する電荷の流れを誘導してランプの始動及び駆動電圧を低くするとともに均一な放電が起こるようにする。
【００３５】
誘導電極の第２実施形態として、図１７に示すように、誘導電極４７は各放電チャンネル４３の長手方向に一定の間隔で離隔して配列され、放電チャンネル４３の長手方向に両端が尖っている複数のサブ誘導電極（図示例では、菱形のサブ誘導電極）からなる。尖っているサブ誘導電極により、一層向上された電荷の流れを誘導することができる。
【産業上の利用可能性】
【００３６】
本発明の面発光形蛍光ランプはディスプレイ装置のバックライト用に適用することができる。
【図面の簡単な説明】
【００３７】
【図１】本発明の第１実施形態による主電極を有する面発光型蛍光ランプを示す概略平面図である。
【図２】本発明の第２実施形態による主電極を有する面発光型蛍光ランプを示す概略平面図である。
【図３】本発明の第１実施形態によるブランチ電極を有する面発光型蛍光ランプを示す分解斜視図である。
【図４】図３に示す面発光型蛍光ランプの接合状態を示す概略平面図である。
【図５】図４のＡ−Ａ′線についての断面図である。
【図６】本発明の第２実施形態によるブランチ電極を有する面発光型蛍光ランプを示す概略平面図である。
【図７】本発明の第３実施形態によるブランチ電極を有する面発光型蛍光ランプを示す概略平面図である。
【図８】本発明の第４実施形態によるブランチ電極を有する面発光型蛍光ランプを示す概略平面図である。
【図９】本発明の第５実施形態によるブランチ電極を有する面発光型蛍光ランプを示す概略平面図である。
【図１０】本発明の第１実施形態によるジョイント電極及びステップ電極を有する面発光型蛍光ランプを示す分解斜視図である。
【図１１】図１０に示す面発光型蛍光ランプの接合状態を示す概略平面図である。
【図１２】本発明の第２実施形態によるステップ電極を有する面発光型蛍光ランプを示す概略平面図である。
【図１３】本発明の第３実施形態によるステップ電極を有する面発光型蛍光ランプを示す概略平面図である。
【図１４】本発明による電極が蛇行状チャンネルを有する面発光型蛍光ランプに適用された状態を示す概略断面図である。
【図１５】本発明による電極が隔壁構造を有する面発光型蛍光ランプに適用された状態を示す概略断面図である。
【図１６】本発明の第１実施形態による誘導電極を有する面発光型蛍光ランプを示す概略平面図である
【図１７】本発明の第２実施形態による誘導電極を有する面発光型蛍光ランプを示す概略平面図である
【図１８】内部電極を有する通常の面発光型蛍光ランプを示す概略平面図である。
【図１９】外部電極を有する通常の面発光型蛍光ランプを示す概略平面図である。
【符号の説明】
【００３８】
１、２、２ａ、２ｂ、３ａ、３ｂ、２６、３６    ブランチ電極
６ａ、６ｂ、２７、３７    ジョイント電極
７ａ、７ｂ、８ａ、８ｂ、９ａ、９ｂ、２８、３８    ステップ電極
１０、２０、３０、４０    ランプボディ
１１、２１、３１    上板
１２、２２、３２    下板
１３、２３、３３、４３    放電チャンネル
１４、１５、２４、２５、３４、３５、４４、４５    主電極
【図１】
2006073499.tif 000003
【図２】
2006073499.tif 000004
【図３】
2006073499.tif 000005
【図４】
2006073499.tif 000006
【図５】
2006073499.tif 000007
【図６】
2006073499.tif 000008
【図７】
2006073499.tif 000009
【図８】
2006073499.tif 000010
【図９】
2006073499.tif 000011
【図１０】
2006073499.tif 000012
【図１１】
2006073499.tif 000013
【図１２】
2006073499.tif 000014
【図１３】
2006073499.tif 000015
【図１４】
2006073499.tif 000016
【図１５】
2006073499.tif 000017
【図１６】
2006073499.tif 000018
【図１７】
2006073499.tif 000019
【図１８】
2006073499.tif 000020
【図１９】
2006073499.tif 000021